(57)【特許請求の範囲】
【請求項１】
一方向に延出する棒形状をなす桿部材と、
前記桿部材の外周面から当該桿部材の軸芯に交差する方向に突出し、当該外周面からの突出量を調整可能に前記桿部材に連結された第１の脚部材と、
前記桿部材の軸芯方向に沿ってスライド可能なスライド部材と、
前記桿部材の外周面から、前記第１の脚部材の突出方向と略平行な方向であって、かつ、前記スライド部材のスライド方向に交差する方向に突出し、当該スライド部材に対する連結位置を調整可能に前記スライド部材に連結された第２の脚部材と、
を備えたことを特徴とするウィルキー。
【請求項２】
前記スライド部材は、前記桿部材に連結されたウォームギアを介して当該桿部材に連結されたラック形状をなすことを特徴とする請求項１に記載のウィルキー。
【請求項３】
前記第１の脚部材は、前記桿部材に設けられた孔の内周面に設けられたネジ山に、当該第１の脚部材の外周面に設けられたネジ山を螺合させることによって前記桿部材に連結されており、前記内周面に設けられたネジ山と前記外周面に設けられたネジ山の螺合状態とを変化させることによって当該外周面からの突出量を調整可能とされていることを特徴とする請求項１または２に記載のウィルキー。
【請求項４】
前記第２の脚部材は、前記スライド部材に設けられた孔の内周面に設けられたネジ山に、当該第２の脚部材の外周面に設けられたネジ山を螺合させることによって前記スライド部材に連結されており、前記内周面に設けられたネジ山と前記外周面に設けられたネジ山の螺合状態とを変化させることによって当該外周面からの突出量を調整可能とされていることを特徴とする請求項１〜３のいずれか一つに記載のウィルキー。
【発明の詳細な説明】
【技術分野】
【０００１】
この発明は、リング形状をなすハンドルリングの操作に用いるウィルキーに関する。
【背景技術】
【０００２】
発電所などの施設においては、各種計器や、水（水蒸気）や油などの液体を移送する管路などに設けられた弁を手動操作によって開閉する作業がある。弁を開閉する作業に際しては、当該弁の開閉に連動するリング状のハンドルを回転させる。このハンドル（弁）の回転抵抗が大きく、人力では開閉することが難しい場合、ウィルキーと称されるハンドルの操作用の工具を用いてハンドルを回転させる。
【０００３】
操作対象となるハンドルの大きさに合わない不適切なウィルキーを用いた場合、ハンドル（弁）が損傷したり、ウィルキーが損傷したりする。このため、発電所などの施設においては、操作対象となるハンドルの大きさに合わせた複数種類のウィルキーが用意されている。
【０００４】
ハンドル操作に際しては、操作対象となるハンドルの大きさに合わせた大きさのウィルキーを用いる。一方で、ウィルキーを用いて操作をおこなう現場に、操作対象となるハンドルの大きさに合わせてウィルキーを複数携行すると、重く、作業効率が低下する。また、複数の作業員がそれぞれ使用するウィルキーを、人数分用意することは、保管場所や費用の観点から現実的ではなく、限られたウィルキーを複数人が共用する状況では、或る作業者が使用したいウィルキーを他の作業者が持ち出している場合は作業が中断され、作業効率が低下する。
【０００５】
このようなウィルキーに関する技術として、具体的には、従来、たとえば、操作杆に、操作杆から延長された２本の固定脚と、操作杆に沿ってスライド自在に装着され固定脚に対して前進、後退可能な可動脚とを設け、前記固定脚と可動脚とを、操作杆から外側へ拡がる末広がり形状としたウィルキーに関する技術があった（たとえば、下記特許文献１を参照。）。
【０００６】
また、具体的には、従来、たとえば、棒状の操作杆の端部に、操作杆の軸方向に対してほぼ垂直でかつ同一方向に延びる２つの挟持脚からなる挟持脚対を、操作杆の軸を中心にして放射線状に複数設けるとともに、各挟持脚対の挟持脚どうしとの間隔が異なるようにしたウィルキーに関する技術があった（たとえば、下記特許文献２を参照。）。
【０００７】
また、具体的には、従来、たとえば、操作杆の軸線に直角な一対の固定脚の間隔をそれぞれ異ならせた複数の固定脚対を、操作杆の軸線方向における異なる位置に複数設けたウィルキーに関する技術があった（たとえば、下記特許文献３を参照。）。
【先行技術文献】
【特許文献】
【０００８】
【特許文献１】実開平６−１７８７４号公報
【特許文献２】特開２００８−１４２８１７号公報
【特許文献３】特開２００７−２０３３８６号公報
【発明の概要】
【発明が解決しようとする課題】
【０００９】
しかしながら、上述した特許文献１に記載された従来の技術は、大型の弁などのように回転させるために大きな力を要する弁を操作する際に、弁に対して力がかかりにくく、実用性に劣るという問題があった。
【００１０】
また、上述した特許文献２や特許文献３に記載された従来の技術は、適用できる弁のサイズが限定されるため、操作対象とする弁の大きさを事前に把握し、操作対象とする弁の大きさに合わせた複数のウィルキーを携行しなければならず、煩わしいという問題があった。このように、上述した従来の技術は、いずれも、汎用性に劣り、実用には不十分であるという問題があった。
【００１１】
この発明は、上述した従来技術による問題点を解消するため、ウィルキーを用いる作業をおこなう作業者の作業性の向上を図ることができるウィルキーを提供することを目的とする。
【課題を解決するための手段】
【００１２】
上述した課題を解決し、目的を達成するため、この発明にかかるウィルキーは、一方向に延出する棒形状をなす桿部材と、前記桿部材の外周面から当該桿部材の軸芯に交差する方向に突出し、当該外周面からの突出量を調整可能に前記桿部材に連結された第１の脚部材と、前記桿部材の軸芯方向に沿ってスライド可能なスライド部材と、前記桿部材の外周面から、前記第１の脚部材の突出方向と略平行な方向であって、かつ、前記スライド部材のスライド方向に交差する方向に突出し、当該スライド部材に対する連結位置を調整可能に前記スライド部材に連結された第２の脚部材と、を備えたことを特徴とする。
【００１３】
また、この発明にかかるウィルキーは、上記の発明において、前記スライド部材が、前記桿部材に連結されたウォームギアを介して当該桿部材に連結されたラック形状をなすことを特徴とする。
【００１４】
また、この発明にかかるウィルキーは、上記の発明において、前記第１の脚部材が、前記桿部材に設けられた孔の内周面に設けられたネジ山に、当該第１の脚部材の外周面に設けられたネジ山を螺合させることによって前記桿部材に連結されており、前記内周面に設けられたネジ山と前記外周面に設けられたネジ山の螺合状態とを変化させることによって当該外周面からの突出量を調整可能とされていることを特徴とする。
【００１５】
また、この発明にかかるウィルキーは、上記の発明において、前記第２の脚部材が、前記スライド部材に設けられた孔の内周面に設けられたネジ山に、当該第２の脚部材の外周面に設けられたネジ山を螺合させることによって前記スライド部材に連結されており、前記内周面に設けられたネジ山と前記外周面に設けられたネジ山の螺合状態とを変化させることによって当該外周面からの突出量を調整可能とされていることを特徴とする。
【発明の効果】
【００１６】
この発明にかかるウィルキーによれば、ウィルキーを用いる作業をおこなう作業者の作業性の向上を図ることができるという効果を奏する。
【図面の簡単な説明】
【００１７】
【図１】この発明にかかる実施の形態のウィルキーの外観を示す説明図（その１）である。
【図２】この発明にかかる実施の形態のウィルキーの外観を示す説明図（その２）である。
【図３】図２におけるＡ−Ａ断面を示す説明図である。
【図４】この発明にかかる実施の形態のウィルキーの一部を示す説明図である。
【図５】ウィルキーの使用例を示す説明図（その１）である。
【図６】ウィルキーの使用例を示す説明図（その２）である。
【図７】この発明にかかる別の実施の形態のウィルキーを示す説明図である。
【図８】この発明にかかる別の実施の形態のウィルキーの使用例を示す説明図（その１）である。
【図９】この発明にかかる別の実施の形態のウィルキーの使用例を示す説明図（その２）である。
【発明を実施するための形態】
【００１８】
以下に添付図面を参照して、この発明にかかるウィルキーの好適な実施の形態を詳細に説明する。
【００１９】
図１および図２は、この発明にかかる実施の形態のウィルキーの外観を示す説明図である。図３は、図２におけるＡ−Ａ断面を示す説明図である。図４は、この発明にかかる実施の形態のウィルキーの一部を示す説明図である。図１および図２においては、この発明にかかる実施の形態のウィルキーの斜視状態を示している。図２においては、さらに、この発明にかかる実施の形態のウィルキーの内部構造の概略を示している。
【００２０】
図１、図２、図３および図４において、この発明にかかる実施の形態のウィルキー１００は、桿部材１０１と、一対の脚部材１０２、１０３と、を備えている。桿部材１０１は、直線状の棒形状をなしている。桿部材１０１の一端側には、カバー部材１１０が設けられている。カバー部材１１０は、たとえば、プラスチックやゴムなどの材料を用いて形成することができる。
【００２１】
一対の脚部材１０２、１０３は、桿部材１０１に連結されている。一対の脚部材１０２、１０３は、桿部材１０１の長さ方向における一端側に設けられている。一対の脚部材１０２、１０３は、略円柱形状をなしている。一対の脚部材１０２、１０３は、それぞれ、桿部材１０１から、当該桿部材１０１の軸芯を中心とする円の半径方向に突出している。すなわち、一対の脚部材１０２、１０３は、桿部材１０１から、当該桿部材１０１の軸芯方向に直交する方向に突出している。一対の脚部材１０２、１０３は、それぞれの軸芯方向が平行になるように、桿部材１０１に連結されている。
【００２２】
一対の脚部材１０２、１０３のうちの一方の脚部材（第１の脚部材）１０２は、桿部材１０１における長さ方向の一端（先端）において、当該桿部材１０１に連結されている。一方の脚部材１０２の外周面には、一端側において、ネジ山（雄ネジ）１０２ａが設けられている。
【００２３】
一方の脚部材１０２は、一端側に設けられたネジ山１０２ａを、桿部材１０１の先端に設けられたネジ孔（雌ネジ）１０１ａに螺合させることによって、桿部材１０１に連結されている。ネジ孔１０１ａは、一対の脚部材１０２、１０３の軸芯方向すなわち桿部材１０１の軸芯方向に直交する方向に沿って、桿部材１０１を貫通している。
【００２４】
ネジ孔１０１ａの内周面には、一方の脚部材１０２に設けられたネジ山１０２ａと同ピッチのネジ山が設けられている。一方の脚部材１０２の桿部材１０１からの突出量は、ネジ孔１０１ａに対するネジ山１０２ａの螺合量を調整することによって調整することができる。ネジ孔１０１ａに対するネジ山１０２ａの螺合量は、無段階で調整することができる。
【００２５】
一対の脚部材１０２、１０３のうちの他方の脚部材（第２の脚部材）１０３は、スライド部材２０１を介して桿部材１０１に連結されている。スライド部材２０１は、他方の脚部材１０３を支持する支持部２０２と、ラック形状をなすラック部２０３とを備えている。
【００２６】
他方の脚部材１０３の外周面には、一端側において、ネジ山（雄ネジ）１０３ａが設けられている。他方の脚部材１０３は、一端側に設けられたネジ山１０３ａを、スライド部材２０１における支持部２０２に設けられたネジ孔（雌ネジ）１０４に螺合させることによって、スライド部材２０１に連結されている。
【００２７】
ネジ孔１０４は、スライド部材２０１における支持部２０２を、他方の脚部材１０３の軸芯方向すなわち桿部材１０１の軸芯方向に直交する方向に沿って貫通している。他方の脚部材１０３の桿部材１０１からの突出量は、ネジ孔１０４に対するネジ山１０３ａの螺合量を調整することによって調整することができる。ネジ孔１０４に対するネジ山１０３ａの螺合量は、無段階で調整することができる。
【００２８】
スライド部材２０１は、桿部材１０１に対して、当該桿部材１０１の軸芯方向に沿ってスライド可能に連結されている。具体的には、スライド部材２０１におけるラック部２０３は、桿部材１０１に設けられて桿部材１０１の長さ方向を長手方向とする溝２０４に挿入されており、溝２０４内をスライドすることによって桿部材１０１の軸芯方向に沿ってスライドすることができる。
【００２９】
桿部材１０１には、他方の脚部材１０３の延出方向に沿って桿部材１０１を貫通するスリット１０５が設けられている。スリット１０５は、ラック部２０３が溝２０４内をスライドすることによる支持部２０２の移動軌跡上に設けられている。支持部２０２には、スリット１０５内における支持部２０２のスライド位置を規制する突起４０１が設けられている。スリット１０５の内面には、突起４０１が係合する溝２０６が設けられている。支持部２０２は、突起４０１を溝２０６に係止させた状態で、桿部材１０１の長方向に沿ってスライドする。
【００３０】
スライド部材２０１におけるラック部２０３は、一面側に配列されたギア歯２０２ａを備えている。ラック部２０３におけるギア歯２０２ａは、桿部材１０１に連結されたウォームギア２０５に噛み合わされている。ウォームギア２０５は、当該ウォームギア２０５の軸芯方向を桿部材１０１の長さ方向に揃えた状態で桿部材１０１に連結されており、当該軸芯周りに回転可能に設けられている。
【００３１】
ウォームギア２０５が回転すると、ラック部２０３におけるウォームギア２０５との噛み合い位置が、スライド部材２０１の長さ方向に沿って変化する。スライド部材２０１は、ラック部２０３におけるウォームギア２０５と噛み合う位置を調整することによって桿部材１０１の軸芯方向に直交する方向に沿ってスライドする。
【００３２】
ウォームギア２０５は、桿部材１０１に設けられた開口部１０１ｂを介して、一部が外部に露出している。これにより、ウィルキー１００を使用する作業者がウォームギア２０５を操作することができ、当該操作によってウォームギア２０５が回転することにより、モンキーレンチにおけるアゴの間隔を調整するように、桿部材１０１の長さ方向に沿ってスライド部材２０１をスライドさせることができる。スライド部材２０１がスライドすることにより、一対の脚部材１０２、１０３の間隔を狭くしたり、広くしたりすることができる。ウィルキー１００においては、一対の脚部材１０２、１０３の間隔を無段階で調整することができる。
【００３３】
ラック部２０３におけるギア歯２０２ａに噛み合わせたウォームギア２０５を回転させることによって、一対の脚部材１０２、１０３の間隔を調整する構成とすることにより、他の歯車機構を用いて一対の脚部材１０２、１０３の間隔を調整する場合と比較してバックラッシを小さくすることができる。これにより、ウィルキー１００を使用しておこなう作業の最中に、一対の脚部材１０２、１０３の間隔が変動して、がたつきが生じることを抑制できる。
【００３４】
図５および図６は、ウィルキー１００の使用例を示す説明図である。ウィルキー１００を使用する際には、操作対象となるハンドルの大きさに合わせて、一対の脚部材１０２、１０３の桿部材１０１からの突出量や一対の脚部材１０２、１０３の間隔を調整することができる。具体的には、たとえば、径が小さいハンドルを操作対象とする場合、図５に示したように、一対の脚部材１０２、１０３の桿部材１０１からの突出量が小さくなるように調整する。また、この場合、図５に示したように、操作対象となるハンドル（図示を省略する）の径にあわせて、一対の脚部材１０２、１０３の間隔が狭くなるように調整する。
【００３５】
また、具体的には、たとえば、径が大きいハンドルを操作対象とする場合、図６に示したように、一対の脚部材１０２、１０３の桿部材１０１からの突出量が大きくなるように調整する。また、この場合、図６に示したように、ハンドルの径にあわせて、一対の脚部材１０２、１０３の間隔が広くなるように調整する。
【００３６】
一対の脚部材１０２、１０３の桿部材１０１からの突出量は、操作対象となるハンドルの大きさの他に、ウィルキー１００を使用する環境に応じて調整してもよい。具体的には、たとえば、操作対象となるハンドルの周囲に別の設備などが配置されている環境など、操作対象となるハンドルの周囲の作業空間が小さい場合、一対の脚部材１０２、１０３の桿部材１０１からの突出量が小さくなるように調整することができる。
【００３７】
上述した実施の形態においては、桿部材１０１の長さが一定であるウィルキー１００について説明したが、この発明を実現するウィルキーは、桿部材１０１の長さが一定であるものに限らない。この発明を実現するウィルキーは、桿部材１０１の長さが可変であってもよい。
【００３８】
図７は、この発明にかかる別の実施の形態のウィルキーを示す説明図である。図７において、別の実施の形態のウィルキー１００において、桿部材１０１の長さ方向における他端側に設けられたカバー部材１１０は、略円筒形状をなしている。カバー部材１１０の内周面には、ネジ山（雌ネジ、図８における符号８０１を参照）が設けられている。ネジ山は、カバー部材１１０の内周面において、当該カバー部材１１０の長さ方向に沿って全体に設けられている。
【００３９】
桿部材１０１の外周面であって他端側には、カバー部材１１０の内周面に設けられたネジ山に螺合するネジ山（雄ネジ）７０１が設けられている。ネジ山７０１は、桿部材１０１の長さ方向において、カバー部材１１０の内周面に設けられたネジ山と同等以上の長さにわたって設けられている。このような構成のウィルキー１００においては、桿部材１０１に対してカバー部材１１０を軸芯周りに回転させることによって、カバー部材１１０におけるネジ山と桿部材１０１の他端側におけるネジ山７０１との螺合量を調整することができる。
【００４０】
図８および図９は、この発明にかかる別の実施の形態のウィルキー１００の使用例を示す説明図である。具体的には、たとえば、ウィルキー１００の運搬時など、ウィルキー１００の非使用時においては、カバー部材１１０におけるネジ山８０１と桿部材１０１の他端側におけるネジ山７０１との螺合量を最大にすることによって、桿部材１０１とカバー部材１１０とを重ね合わせ、桿部材１０１の長さ方向におけるウィルキー１００の寸法を小さくすることができる。これにより、ウィルキー１００の携行性を高め、作業効率の向上を図ることができる。
【００４１】
また、具体的には、たとえば、ウィルキー１００による操作対象とするハンドルに近づくことが難しい場合や、ハンドルが堅く弁を開閉しにくい場合などにおいてはカバー部材１１０におけるネジ山８０１と桿部材１０１の他端側におけるネジ山７０１との螺合量を適宜調整することによって、桿部材１０１とカバー部材１１０とが重ね合わされる長さを少なくし、桿部材１０１の長さ方向におけるウィルキー１００の寸法を大きくすることができる。これにより、ウィルキー１００を使用する作業者の負担軽減を図ることができる。
【００４２】
以上説明したように、この発明にかかる実施の形態のウィルキー１００は、直線状に延出する棒形状をなす桿部材１０１と、桿部材１０１の外周面から当該桿部材１０１の軸芯に交差する方向に突出し、当該外周面からの突出量を調整可能に桿部材１０１に連結された第１の脚部材としての一方の脚部材１０２と、桿部材１０１の軸芯方向に沿ってスライド可能なスライド部材２０１と、桿部材１０１の外周面から、一方の脚部材１０２の突出方向と略平行な方向であって、かつ、スライド部材２０１のスライド方向に交差する方向に突出し、当該スライド部材２０１に対する連結位置を調整可能にスライド部材２０１に連結された第２の脚部材としての他方の脚部材１０３と、を備えたことを特徴としている。
【００４３】
この発明にかかる実施の形態のウィルキー１００によれば、たとえば、操作対象とするハンドルの大きさに合わせて、第１の脚部材と第２の脚部材との間隔を調整するとともに、桿部材１０１の外周面からの、一対の脚部材１０２、１０３の突出量を調整することができる。これにより、この発明にかかる実施の形態のウィルキー１００によれば、操作対象とするハンドルの大きさにかかわらず、当該ウィルキー１００の操作性を確保することができ、ウィルキー１００を用いる作業に際しての作業性の向上を図ることができる。
【００４４】
また、この発明にかかる実施の形態のウィルキー１００によれば、従来のウィルキー１００と同様の形状をなすため、ウィルキー１００を用いる作業に、従来のウィルキー１００に代えて、この発明にかかる実施の形態のウィルキー１００を用いる作業者を混乱させることなく、当該ウィルキー１００を導入することができる。これにより、この発明にかかる実施の形態のウィルキー１００によれば、当該ウィルキー１００を導入することによる作業性の向上を、容易に実現することができる。
【００４５】
また、この発明にかかる実施の形態のウィルキー１００によれば、当該ウィルキー１００を使用する作業者は、操作対象とするハンドルの大きさに応じて複数のウィルキー１００を携行することなく、当該ウィルキー１００のみを携行し、作業に臨むことができる。これにより、ウィルキー１００を用いる作業をおこなう作業者の負担軽減を図ることができる。
【００４６】
このように、この発明にかかる実施の形態のウィルキー１００によれば、操作対象とするハンドルの大きさにかかわらず操作性を確保するとともに、ウィルキー１００を携行することによる作業者の負担軽減を図ることができる。これによって、この発明にかかる実施の形態のウィルキー１００によれば、ウィルキー１００を用いる作業をおこなう作業者の作業性の向上を図ることができる。
【００４７】
また、この発明にかかる実施の形態のウィルキー１００は、スライド部材２０１が、桿部材１０１に連結されたウォームギア２０５を介して当該桿部材１０１に連結されたラック形状をなすことを特徴としている。
【００４８】
この発明にかかる実施の形態のウィルキー１００によれば、第２の脚部材を可動とすることによるバックラッシを小さく抑えることができるので、ウィルキー１００を用いた作業に際して第１の脚部材と第２の脚部材との間隔が変動することによるがたつきを抑え、ウィルキー１００の操作性を確保することができる。これにより、この発明にかかる実施の形態のウィルキー１００によれば、ウィルキー１００を用いる作業に際しての作業性の向上を図ることができる。
【００４９】
また、この発明にかかる実施の形態のウィルキー１００は、一方の脚部材１０２が、桿部材１０１に設けられたネジ孔１０１ａの内周面に設けられたネジ山に、当該一方の脚部材１０２の外周面に設けられたネジ山１０２ａを螺合させることによって桿部材１０１に連結されており、ネジ孔１０１ａの内周面に設けられたネジ山と一方の脚部材１０２の外周面に設けられたネジ山１０２ａの螺合状態とを変化させることによって当該外周面からの突出量を調整可能とされていることを特徴としている。
【００５０】
この発明にかかる実施の形態のウィルキー１００によれば、簡易な構成によって、桿部材１０１の外周面からの一方の脚部材１０２の突出量を容易に調整することができる。これにより、この発明にかかる実施の形態のウィルキー１００によれば、操作対象とするハンドルの大きさにかかわらず、当該ウィルキー１００の操作性を確保することができ、ウィルキー１００を用いる作業に際しての作業性の向上を図ることができる。
【００５１】
また、この発明にかかる実施の形態のウィルキー１００は、他方の脚部材１０３が、スライド部材２０１に設けられたネジ孔１０４の内周面に設けられたネジ山に、当該他方の脚部材１０３の外周面に設けられたネジ山１０３ａを螺合させることによってスライド部材２０１に連結されており、ネジ孔１０４の内周面に設けられたネジ山と他方の脚部材１０３の外周面に設けられたネジ山１０３ａの螺合状態とを変化させることによって当該外周面からの突出量を調整可能とされていることを特徴としている。
【００５２】
この発明にかかる実施の形態のウィルキー１００によれば、簡易な構成によって、桿部材１０１の外周面からの他方の脚部材１０３の突出量を容易に調整することができる。これにより、この発明にかかる実施の形態のウィルキー１００によれば、操作対象とするハンドルの大きさにかかわらず、当該ウィルキー１００の操作性を確保することができ、ウィルキー１００を用いる作業に際しての作業性の向上を図ることができる。
【００５３】
また、この発明にかかる実施の形態のウィルキー１００は、桿部材１０１が、複数の部材（この実施の形態においては桿部材１０１とカバー部材１１０）を軸芯方向に沿って連結することによって構成され、桿部材１０１とカバー部材１１０との連結状態を変えることにより軸芯方向における長さを調整可能とされていることを特徴としている。
【００５４】
この発明にかかる実施の形態のウィルキー１００によれば、たとえば、操作対象とするハンドルの大きさや状況にあわせて、桿部材１０１の軸芯方向における長さを調整することができる。具体的には、たとえば、操作対象とするハンドルが大きい場合は桿部材１０１の長さが長くなるように調整することにより、てこの原理を利用して、ハンドルに対して力をかけやすくすることができる。
【００５５】
また、具体的には、たとえば、操作対象とするハンドルが狭い場所に設置されている場合は桿部材１０１の長さが短くなるように調整することにより、桿部材１０１がつっかえることによって作業に支障が出ることを回避できる。また、具体的には、たとえば、携行時など、作業時以外には桿部材１０１の長さが最も短くなるように調整することにより、携行性を向上させ、作業者の負担軽減を図ることができる。
【産業上の利用可能性】
【００５６】
以上のように、この発明にかかるウィルキーは、リング形状をなすハンドルリングの操作に有用であり、特に、狭い場所に設置されたハンドルのハンドルリングの操作に適している。
【符号の説明】
【００５７】
１００  ウィルキー
１０１  桿部材
１０２、１０３  脚部材
１１０  カバー部材
２０１  スライド部材
２０２  支持部
２０３  ラック部
【要約】
【課題】ウィルキーを用いる作業をおこなう作業者の作業性の向上を図ることができるウィルキーを提供すること。
【解決手段】直線状に延出する棒形状をなす桿部材１０１と、桿部材１０１の外周面から当該桿部材１０１の軸芯に交差する方向に突出し、当該外周面からの突出量を調整可能に桿部材１０１に連結された脚部材１０２と、桿部材１０１の軸芯方向に沿ってスライド可能なスライド部材２０１と、桿部材１０１の外周面から、脚部材１０２の突出方向と略平行な方向であって、かつ、スライド部材２０１のスライド方向に交差する方向に突出し、当該スライド部材２０１に対する連結位置を調整可能にスライド部材２０１に連結された脚部材１０３と、を備えたウィルキー１００を構成した。
【選択図】図２【図１】
0005563117.tif 000002
【図２】
0005563117.tif 000003
【図３】
0005563117.tif 000004
【図４】
0005563117.tif 000005
【図５】
0005563117.tif 000006
【図６】
0005563117.tif 000007
【図７】
0005563117.tif 000008
【図８】
0005563117.tif 000009
【図９】
0005563117.tif 000010